(57)【要約】【課題】異なる属性の電子ペーパに対しても、適合した画像情報の送出ができ、単一の本体から複数の電子ペーパに同じ内容の画像情報を送出することのできる電子ペーパ表示装置を提供することを目的とする。【解決手段】フレキシブルな表示媒体である電子ペーパ２６と、電子ペーパ２６に画像情報を表示させる電子ペーパ表示ユニット部２０と、電子ペーパ表示ユニット部２０に画像情報を伝送する電子ペーパ制御ユニット部１０とを備え、電子ペーパ表示ユニット部２０は、電子ペーパ２６の属性情報を電子ペーパ制御ユニット部１０に伝送し、電子ペーパ制御ユニット部１０は、電子ペーパ表示ユニット部２０から伝送された電子ペーパ２６の属性情報に基づいて適正に編集された画像情報を電子ペーパ表示ユニット部２０に送信する電子ペーパ表示装置としたものであり、異なる属性の電子ペーパ２６に対しても対応することが可能となる。【選択図】図１
2005221723.tif 000002
【特許請求の範囲】
【請求項１】
フレキシブルな表示媒体である電子ペーパと、この電子ペーパに画像情報を表示させる電子ペーパ表示ユニット部と、この電子ペーパ表示ユニット部に画像情報を伝送する電子ペーパ制御ユニット部とを備え、
前記電子ペーパ表示ユニット部は、前記電子ペーパの属性情報を前記電子ペーパ制御ユニット部に伝送する手段を有し、
前記電子ペーパ制御ユニット部は、前記電子ペーパ表示ユニット部から伝送された前記電子ペーパの属性情報に基づいて適正な画像情報を編集し、編集された画像情報を前記電子ペーパ表示ユニット部に送信する手段を有することを特徴とする電子ペーパ表示装置。
【請求項２】
前記電子ペーパ表示ユニット部に、前記電子ペーパ制御ユニットから送信された画像情報を一旦保存するキャッシュメモリを設けたことを特徴とする請求項１記載の電子ペーパ表示装置。
【請求項３】
前記電子ペーパ制御ユニット部に、画像情報を保存したメモリカードを読み取る手段を設けたことを特徴とする請求項１または２に記載の電子ペーパ表示装置。
【請求項４】
前記電子ペーパ制御ユニット部と前記電子ペーパ表示ユニット部との間の信号の送受信を無線で行う構成としたことを特徴とする請求項１から３のいずれかの項に記載の電子ペーパ表示装置。
【発明の詳細な説明】
【技術分野】
【０００１】
本発明は、電子ペーパに所定の情報を表示するための電子ペーパ表示装置に関する。
【背景技術】
【０００２】
電子ペーパは、紙のように薄くて軽く、曲げることのできる新しいタイプのディスプレイである。
【０００３】
デジタル情報を画像情報として表示する媒体としては、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等が古くから用いられているが、これらは、読みやすさ、使いやすさ、持ち運びやすさの点からは、紙に及ばない。しかし、紙は、情報を記録するために、印刷ないし筆記が必要である。また、紙は永久記録であるために、不要になったときは、ゴミとして破棄するしかない。
【０００４】
そこで、所望のデジタル情報を表示及び繰り返し使用でき、また紙のようにフレキシブルで読みやすい表示媒体として「電子ペーパ」という概念が提案されるようになってきた（例えば、非特許文献１参照）。
【０００５】
電子ペーパの形態としては、現在の紙のような取り扱いが可能で、文字や画像の書き換えが可能なリライタブルペーパと、現在のコンピュータのディスプレイを薄膜化してコンピュータ本体と分離可能にした薄膜ディスプレイタイプがある。
【０００６】
前者のリライタブルペーパには、高分子薄膜の中に脂肪酸の微粒子を分散させた透明白濁型と、ロイコ染料と顕色剤を使用した発消色型があるが、いずれも、熱記録により発色と消色を行う感熱記録方式である。このタイプには、サーマルヘッド等の感熱記録手段を用いたプリンタが必要である。
【０００７】
後者の薄膜ディスプレイタイプとしては、スメクチック液晶と２色性色素を用いたゲスト・ホスト型の液晶／高分子複合膜方式、負に帯電した黒の顔料と正に帯電した白の顔料を分散媒体の中に封入したマイクロカプセルを用いた電気泳動方式、電荷によって白半球と黒半球を回転させる帯電ビーズ方式などがある。これらは、いずれも液晶やマイクロカプセル、帯電ビーズを画素として配列した表示層と、それを制御するドライバ層の２層を有している。そして、ドライバ層に配列したＴＦＴ（Ｔｈｉｎ  Ｆｉｌｍ  Ｔｒａｎｓｉｓｔｏｒ）等の制御素子に画像信号を電界として印加することにより、表示層に所定の画像を表示させる。このタイプの電子ペーパは、パソコンやネットワークから出力された文字、画像を表示するものであり、プリンタは不要である。また、パソコンやネットワークと切り離された後も、表示状態を保持する機能を有している。本発明は、この薄膜ディスプレイタイプを対象とするもので、以下、「電子ペーパ」というときは、このタイプを指すものとする。
【０００８】
かかる電子ペーパへの文字、画像の表示を行う電子ペーパ表示装置の構成としては、（特許文献１）に開示されたものがある。これを、図８を用いて説明する。
【０００９】
図中１１０は電子ペーパ、１１２は表示駆動部、１２０は制御部本体である。この電子ペーパ１１０は、接続端子１１３と１２１により本体１２０と接続されており、取り外すことも可能である。接続端子１１３と１２１が接続されているときは、着脱検知手段１３０が、電子ペーパ１１０側の表示駆動部１１２に設けられたアンドゲート１３３からの戻り信号を受けることにより接続を検知して、表示発光制御手段１２２から表示駆動部１１
２に画像情報を送る。表示駆動部１１２は、電子ペーパ１１０に形成されたマトリクス状の画素に対応するＴＦＴに電圧を印加し、所定の文字、画像を表示させる。電子ペーパ１１０は、一旦画像が形成されると消去電圧を印加されない限り、長期間にわたって画像を保持するため、接続端子１２１，１１３を外して本体１２０と分離しても、画像が消えることはない。
【００１０】
記憶手段１１９は、着脱検知手段１３０が、電子ペーパ１１０が取り外されたことを検知したときに、画像情報を記憶しておくものであり、電子ペーパ１１０が装着されたときに記憶手段１１９から画像情報を取り出して表示発光制御手段１２２から電子ペーパ１１０に画像情報を送る。
【特許文献１】特開２００１−３１２２２７号公報
【非特許文献１】日本画像学会発行「Japan Hardcopy '99論文集」p209〜p251
【発明の開示】
【発明が解決しようとする課題】
【００１１】
電子ペーパには色々なサイズや画素数等の属性があるが、（特許文献１）に開示された電子ペーパ表示装置では、一つの本体から同じ画像情報を異なる属性の電子ペーパに表示させるような機能を有していない。そのため、電子ペーパのみの交換ができなかったり、交換可能な場合でも、同じ種類の電子ペーパしか交換できない。したがって、ラニングコストが高くついたり、電子ペーパの選択の自由度がないという問題がある。
【００１２】
また、（特許文献１）に開示された電子ペーパ表示装置は、表示駆動部を含めた電子ペーパと本体側の表示発光制御手段が接続端子（コネクタ）により１対１で接続される方式であるため、電車の中吊り広告に電子ペーパを用いる場合のように、複数の電子ペーパに同じ内容を同時に表示するシステムにおいてもそれぞれ本体を複数設けなければならずコスト増となってしまう。
【００１３】
本発明は、異なる属性の電子ペーパに対しても、その属性に適合した画像情報の送出ができ、また、単一の本体から複数の電子ペーパに同じ内容の画像情報を送出することのできる電子ペーパ表示装置を提供することを目的とする。
【課題を解決するための手段】
【００１４】
本発明は、電子ペーパ表示ユニット部と電子ペーパ制御ユニット部を分離するとともに、通信開始時に、電子ペーパ表示ユニット部の属性情報を電子ペーパ制御ユニット部が得ることで、異なる種類の電子ペーパにもフレキシブルに対応可能としたことを主要な特徴とする。
【発明の効果】
【００１５】
本発明の電子ペーパ表示装置は、電子ペーパ表示ユニット部と電子ペーパ制御ユニット部を分離するとともに、通信開始時に、電子ペーパ表示ユニット部の属性情報を電子ペーパ制御ユニット部が得ることで、異なる属性の電子ペーパに対しても、その属性に適合した画像情報の送出ができ、また、単一の本体から複数の電子ペーパに同じ内容の画像情報を送出することができるという利点がある。
【発明を実施するための最良の形態】
【００１６】
本発明は、異なる属性の電子ペーパに対しても、その属性に適合した画像情報の送出ができ、また、単一の本体から複数の電子ペーパに同じ内容の画像情報を送出することのできる電子ペーパ表示装置を提供するという目的を、電子ペーパ表示ユニット部と電子ペーパ制御ユニット部を分離するとともに、通信開始時に、電子ペーパ表示ユニット部の属性情報を電子ペーパ制御ユニット部が得て、その電子ペーパ表示ユニット部の属性に適した
画像情報を表示させることにより実現した。
【００１７】
上記課題を解決するためになされた第１の発明は、フレキシブルな表示媒体である電子ペーパと、この電子ペーパに画像情報を表示させる電子ペーパ表示ユニット部と、この電子ペーパ表示ユニット部に画像情報を伝送する電子ペーパ制御ユニット部とを備え、電子ペーパ表示ユニット部は、電子ペーパの属性情報を電子ペーパ制御ユニット部に伝送する手段を有し、電子ペーパ制御ユニット部は、電子ペーパ表示ユニット部から伝送された電子ペーパの属性情報に基づいて適正な画像情報を編集し、編集された画像情報を電子ペーパ表示ユニット部に送信する手段を有することとしたものであり、異なる属性の電子ペーパに対しても、その属性に適合した画像情報の送出ができるという効果を有するものである。
【００１８】
上記課題を解決するためになされた第２の発明は、第１の発明において、電子ペーパ表示ユニット部に、電子ペーパ制御ユニットから送信された画像情報を一旦保存するキャッシュメモリを設けたことを特徴とするものであり、これにより、表示画面切り替え時間を短縮することができ、また制御部の処理の空き時間に次の画面情報を受信することができる。さらに、次に表示するデータが、キャッシュメモリに存在する場合は、キャッシュメモリ内の画像情報を電子ペーパに表示することで、通信時間を節約することができるという効果を有するものである。
【００１９】
上記課題を解決するためになされた第３の発明は、第１または第２の発明において、電子ペーパ制御ユニット部に、画像情報を保存したメモリカードを読み取る手段を設けたことを特徴とするものであり、予め別のコンピュータ等で作成した画像情報をオフラインで取り込むことができるという効果を有するものである。
【００２０】
上記課題を解決するためになされた第４の発明は、第１〜第３のいずれかの発明において、電子ペーパ制御ユニット部と電子ペーパ表示ユニット部との間の信号の送受信を無線で行う構成としたことを特徴とするものであり、分散して配置される複数の電子ペーパ表示ユニット部に対して、ワイヤレスで画像情報を送信できるという効果を有するものである。
【００２１】
（実施の形態１）
以下、本発明の実施の形態について、各図に基づいて説明する。
【００２２】
図１は本発明の実施の形態に係る電子ペーパ表示装置の構成を示すブロック図である。
【００２３】
図１において、電子ペーパ表示装置は、電子ペーパ制御ユニット部１０と、電子ペーパ表示ユニット部２０とからなっている。
【００２４】
電子ペーパ表示ユニット部２０には、電子ペーパに表示する機能を持たせ、表示データは電子ペーパ制御ユニット部１０から受信する。電子ペーパ制御ユニット部１０は、電子ペーパに表示させる情報を準備し、電子ペーパ表示ユニット部２０に送信するまでの機能を持っている。
【００２５】
具体的には、電子ペーパ制御ユニット部１０は、電子ペーパ表示ユニット部２０との間で情報の送受信を行う送受信部１１と、送信画像を一時的に保存する送信画像用メモリ１２と、キーボードやマウス等の操作部１３と、送信画像の送受信や編集を行う制御部１４と、送信画像の文字のフォントを格納するフォントデータ用メモリ１５と、メモリカードアクセス用メモリ１６と、画像情報を格納したメモリカード３０とのデータの授受を行うメモリカードインタフェース部１７とを有している。
【００２６】
電子ペーパ制御ユニット部１０にメモリカード３０を装着できるようにすることで、外部のコンピュータ等で作成した画像情報を入力することができる。なお、メモリカード３０の代わりに、コンピュータや、有線、無線のネットワークで画像情報を伝送することも可能である。
【００２７】
電子ペーパ表示ユニット部２０は、電子ペーパ制御ユニット部１０との間で情報の送受信を行う送受信部２１と、受信画像を一時的に保存する受信画像用キャッシュメモリ２２と、受信画像等のデータ処理を行う制御部２３と、表示用メモリ２４と、電子ペーパインタフェース部２５と、表示媒体としての電子ペーパ２６とを有している。
【００２８】
受信画像用キャッシュメモリ２２は、電子ペーパ２６の１画面分を表示するために要するメモリを複数面持ち、表示用メモリ２４は電子ペーパ２６が実際に表示している１画面分の表示内容と同じ情報を保持するものである。電子ペーパ２６の表示画像を変更する際は、受信画像用キャッシュメモリ２２中に存在する、新たに表示したい１画面分のデータを制御部２３で特定し、そのデータを表示用メモリ２４にコピーした後で、電子ペーパインタフェース部２５を制御することで電子ペーパ２６の表示内容を更新する。また、表示用メモリ２４を持たずに、受信画像用キャッシュメモリ２２中に存在する、１画面分の表示対象メモリアドレスを、電子ペーパインタフェース部２５に制御部２３が直接指示することで、表示内容を更新することも可能である。
【００２９】
電子ペーパ制御ユニット部１０の送受信部１１と電子ペーパ表示ユニット部２０の送受信部２１との間の信号の伝送形態は、コネクタや信号ケーブルによる有線でも、電波、赤外線等の無線でもよい。有線であれば１対１の通信となるが、無線の場合は１対ｎの同時通信が可能である。
【００３０】
なお、受信画像用キャッシュメモリ２２は、表示画面切り替え時間を短縮するために設けられており、キャッシュメモリを持つことで、処理の空き時間に次の画面情報を、電子ペーパ表示ユニット部２０と電子ペーパ制御ユニット部１０間で通信可能としている。
【００３１】
また、次に表示するデータが、電子ペーパ表示ユニット部２０内の受信画像用キャッシュメモリ２２に存在する場合は、そのキャッシュメモリ２２内の画像情報を元に表示することで、通信時間を節約することができる。
【００３２】
図２は本実施の形態に係る電子ペーパ表示ユニット部２０と電子ペーパ制御ユニット部１０の初期設定シーケンスの例を示すタイムチャートである。同図において、電子ペーパ表示ユニット部２０から電子ペーパ制御ユニット部１０に接続要求が送られると（Ｓ１０）、電子ペーパ制御ユニット部１０からは接続許可の信号が送られてくるとともに（Ｓ１１）、属性情報要求信号が出される（Ｓ１２）。電子ペーパ表示ユニット部２０は、電子ペーパ２６の属性情報を電子ペーパ制御ユニット部１０に返信する（Ｓ１３）。ここで電子ペーパの属性情報とは、電子ペーパの表示サイズ（縦×横 画素数）情報、白黒／カラー情報、階調情報（２値／多値）等の、画像表示に関連する情報である。電子ペーパ制御ユニット部１０では、属性情報に応じたリソースの確保と、初期設定を行い、電子ペーパ表示ユニット部２０に初期設定完了通知を送る（Ｓ１４）。
【００３３】
図３は、本実施の形態に係る電子ペーパ表示ユニット部２０における初期設定処理の流れを示すフローチャートである。まず、「接続要求」を電子ペーパ制御ユニット部１０に出力する（Ｓ２１）。これに対する電子ペーパ制御ユニット部１０からの「接続許可」の信号を待つ（Ｓ２２）。電子ペーパ制御ユニット部１０が異常状態であるときは「接続不許可」信号が送信されるので処理が終了されるが、そうでない場合は次に進む（Ｓ２３）
。「接続許可」信号が受信されれば次に進み、そうでなければＳ２２に戻って「接続許可」信号を待つ（Ｓ２４）。「接続許可」の場合は、電子ペーパ制御ユニット部１０からの情報待ちの状態とする（Ｓ２５）。電子ペーパ制御ユニット部１０から「属性情報要求」信号を受信するとＳ２７に進み、そうでなければＳ２８に進む（Ｓ２６）。「属性情報要求」信号を受信したら「属性情報」を編集し、電子ペーパ制御ユニット部１０に返送し、Ｓ２５に戻る（Ｓ２７）。電子ペーパ制御ユニット部１０から「初期設定完了通知」信号を受信したら処理を終了し、そうでなければＳ２５に戻る（Ｓ２８）。
【００３４】
図４は、本実施の形態に係る電子ペーパ制御ユニット部１０における初期設定処理の流れを示すフローチャートである。まず、電子ペーパ表示ユニット部２０からの「接続要求」信号を待つ（Ｓ３１）。「接続要求」信号が来れば次に進み、そうでなければＳ３１の待機状態を維持する（Ｓ３２）。「接続要求」信号が来たとき、電子ペーパ表示ユニット部２０は登録済みの端末かどうか判断し、そうであればＳ３５に進み、そうでなければＳ３４に進む（Ｓ３３）。登録済みの端末でなければ、「接続不許可」信号を編集し、電子ペーパ表示ユニット部２０に返送する（Ｓ３４）。登録済みの端末であれば、「接続許可」信号を編集し、電子ペーパ表示ユニット部２０に返送する（Ｓ３５）。次いで「属性情報要求」信号を編集し、電子ペーパ表示ユニット部２０に送出する（Ｓ３６）。電子ペーパ表示ユニット部２０からの情報待ち状態とする（Ｓ３７）。電子ペーパ表示ユニット部２０からの情報が「属性情報」であればＳ３９に進み、そうでなければＳ３７に戻る（Ｓ３８）。「属性情報」であれば電子ペーパ表示ユニット部２０の属性に応じたリソースの確保及び初期設定処理を行う（Ｓ３９）。次いで、「初期設定完了通知」信号を編集し、電子ペーパ表示ユニット部２０に送出する（Ｓ４０）。
【００３５】
以上の初期設定処理により、電子ペーパ２６の属性情報に応じた画像情報の出力が可能となる。
【００３６】
画像情報を作成するまでの手順を説明すると、まず制御部１４がメモリカードインタフェース部１７を制御して、メモリカード３０に蓄積されているファイルをメモリカードアクセス用メモリ１６に読み出し、ファイルの種別に応じて、電子ペーパ２６に表示するイメージに展開する。ファイルが文書ファイルである場合は、フォントデータ用メモリ１５から文字表示のためのフォントデータを抽出し、送信画像用メモリ１２に展開する。ファイルが画像ファイルの場合は、ファイルの種類に応じて画像の伸長処理を行った後、原画と電子ペーパ２６との間で縦横画素数、色数及び階調数が異なる場合は、電子ペーパ２６で表示可能にするための変換を制御部１４で実施後、送信画像用メモリ１２に画像情報を作成する。
【００３７】
図５は、本実施の形態に係る電子ペーパ２６に対する表示情報の通信シーケンスの例を示すタイムチャートである。電子ペーパ制御ユニット部１０の操作部１３によりページ“ｎ”の表示を指示すると、「ページ“ｎ”表示要求」信号が電子ペーパ表示ユニット部２０に送出される（Ｓ４１）。「ページ“ｎ”表示要求」を受け取った電子ペーパ表示ユニット部２０において、受信画像用キャッシュメモリ２２上に当該情報が存在しない場合は、電子ペーパ制御ユニット部１０に「ページ“ｎ”データ要求」信号を送出する（Ｓ４２）。この信号を受け取った電子ペーパ制御ユニット部１０では、電子ペーパ表示ユニット部２０の属性情報を元に、ページ“ｎ”の画像情報を編集し、画像情報を送信する（Ｓ４３〜Ｓ４４）。画像情報を受信した電子ペーパ表示ユニット部２０では、ページ“ｎ”の画像情報を電子ペーパ２６に表示し、ページ“ｎ”表示完了信号を電子ペーパ制御ユニット部１０に送信する。なお、電子ペーパ表示ユニット部２０の受信画像用キャッシュメモリ２２上にページ“ｎ”の画像情報が存在する場合は、Ｓ４２〜Ｓ４４のシーケンスは省略する。
【００３８】
図６は、本実施の形態に係る電子ペーパ制御ユニット部１０の動作を示すフローチャートである。図６において、電子ペーパ制御ユニット部１０では、電子ペーパ表示ユニット部２０が接続されたかどうかを監視しており、接続されたときはＳ５２に進み、接続されないときは監視を継続する（Ｓ５１）。次いで初期設定処理を行う（Ｓ５２）。この初期設定処理については、既に図４で説明したとおりである。次いで、操作部１３からのキー入力待ち状態とする（Ｓ５３）。操作部１３からの表示指示があればＳ５５に進み、そうでなければキー入力待ち状態を継続する（Ｓ５４）。操作部１３から表示指示があれば、ページ情報を操作部１３から取り込む（Ｓ５５）。次に、電子ペーパ表示ユニット部２０に「ページ“ｎ”表示要求」を出力する（Ｓ５６）。次いで、電子ペーパ表示ユニット部２０からの応答を待つ（Ｓ５７）。電子ペーパ表示ユニット部２０から「ページ“ｎ”表示完了」信号を受信しておればＳ５３に戻って操作部１３からのキー入力待ちを行い、受信していなければＳ５９に進む（Ｓ５８）。次に、電子ペーパ表示ユニット部２０から「ページ“ｎ”データ要求」信号を受信していればＳ６０に進み、受信していなければＳ５７に戻る（Ｓ５９）。「ページ“ｎ”データ要求を受信しておれば、電子ペーパ表示ユニット部２０の属性情報を元に、ページ“ｎ”の画像情報を編集する（Ｓ６０）。次に、電子ペーパ表示ユニット部２０にページ“ｎ”の画像情報を送信する（Ｓ６１）。
【００３９】
図７は、本実施の形態に係る電子ペーパ表示ユニット部２０の動作を示すフローチャートである。まず初期設定処理を行う（Ｓ７１）が、これについては既に図３で説明したとおりである。次いで、電子ペーパ制御ユニット部１０からのデータ入力待ち状態とする（Ｓ７２）。電子ペーパ制御ユニット部１０から「ページ“ｎ”表示要求」信号が来たらＳ７４に進み、そうでなければ入力待ち状態を継続する（Ｓ７３）。次いで、受信画像用キャッシュメモリ２２上にページ“ｎ”の画像が存在しているかどうか判定し（Ｓ７４）、存在しておればＳ８０に進み、存在していなければＳ７５に進む。存在していなければ、「ページ“ｎ”データ要求」信号を電子ペーパ制御ユニット部１０に送出する（Ｓ７５）。次いで、電子ペーパ制御ユニット部１０からの応答を待つ（Ｓ７６）。電子ペーパ制御ユニット部１０からの応答が画像情報（終了）（図５のＳ４４）であるかどうかを判定し（Ｓ７７）、そうであればＳ８０に進み、そうでなければＳ７８に進む。Ｓ７８では応答信号が画像情報かどうかを判定し、画像情報でなければＳ７６に戻り、画像情報であればＳ７９に進む。Ｓ７９では、画像情報を受信画像用キャッシュメモリ２２に保存し、Ｓ７６に戻る。Ｓ８０では、ページ“ｎ”の画像情報を電子ペーパ２６に表示する。次いで、「ページ“ｎ”表示完了」信号を電子ペーパ制御ユニット部１０に送出する（Ｓ８１）。
【００４０】
以上のようにして、電子ペーパ２６の属性情報に適合した画像情報を電子ペーパ制御ユニット部１０により編集して、電子ペーパ２６に表示することができる。したがって、電子ペーパ２６の表示サイズや、白黒／カラー、階調表示などの属性情報が異なる電子ペーパ２６に対しても、その属性情報に適合した画像表示が可能となる。
【００４１】
図１には、１つの電子ペーパ制御ユニット部１０に対して１つの電子ペーパ表示ユニット部２０を示しているが、無線通信により送受信部１１と２１間の信号の送受信を行うことにより、複数の電子ペーパ表示ユニット部２０を１つの電子ペーパ制御ユニット部１０により制御することができる。これは、電車の中吊り広告など、同じ内容を同時に表示させるシステムに適用することができる。この場合、各電子ペーパ表示ユニット部２０の属性情報を認識して、それぞれの電子ペーパに適合した画像情報を送信することができる。
【産業上の利用可能性】
【００４２】
本発明は、異なる属性の電子ペーパに対しても、その属性に適合した画像情報の送出ができ、また、単一の本体から複数の電子ペーパに同じ内容の画像情報を送出することができる電子ペーパ表示装置として利用することができる。
【図面の簡単な説明】
【００４３】
【図１】本発明の実施の形態に係る電子ペーパ表示装置の構成を示すブロック図
【図２】本実施の形態に係る電子ペーパ表示ユニット部と電子ペーパ制御ユニット部の初期設定シーケンスの例を示すタイムチャート
【図３】本実施の形態に係る電子ペーパ表示ユニット部における初期設定処理の流れを示すフローチャート
【図４】本実施の形態に係る電子ペーパ制御ユニット部における初期設定処理の流れを示すフローチャート
【図５】本実施の形態に係る電子ペーパに対する表示情報の通信シーケンスの例を示すタイムチャート
【図６】本実施の形態に係る電子ペーパ制御ユニット部の動作を示すフローチャート
【図７】本実施の形態に係る電子ページ表示ユニット部の動作を示すフローチャート
【図８】従来の電子ペーパ表示装置の構成を説明する図
【符号の説明】
【００４４】
１０    電子ペーパ制御ユニット部
１１    送受信部
１２    送信画像用メモリ
１３    操作部
１４    制御部
１５    フォントデータ用メモリ
１６    メモリカードアクセス用メモリ
１７    メモリカードインタフェース部
２０    電子ペーパ表示ユニット部
２１    送受信部
２２    受信画像用キャッシュメモリ
２３    制御部
２４    表示用メモリ
２５    電子ペーパインタフェース部
２６    電子ペーパ
３０    メモリカード
【図１】
2005221723.tif 000003
【図２】
2005221723.tif 000004
【図３】
2005221723.tif 000005
【図４】
2005221723.tif 000006
【図５】
2005221723.tif 000007
【図６】
2005221723.tif 000008
【図７】
2005221723.tif 000009
【図８】
2005221723.tif 000010